(57)【要約】      （修正有）【課題】タッチノイズをより安定的に低減できるイヤホンを提供する。【解決手段】本体部１と、本体部１から延出したブッシング５と、本体部１に収められたスピーカユニットＳＰと、本体部１内でスピーカユニットＳＰに接続された接続部６ｅと、ブッシング５に支持された支持部６ｆと、を有するコード６と、を備える。コード６は、接続部６ｅと支持部６ｆとの間において外部に突出露出し、本体部１を耳甲介に装着した状態で対耳輪下脚又は対耳輪に接触可能な接触部Ｔａを備える。【選択図】図１
2017098877.tif 000002
【特許請求の範囲】
【請求項１】
本体部と、
前記本体部から延出したブッシングと、
前記本体部に収められたスピーカユニットと、
前記本体部内で前記スピーカユニットに接続された接続部と、前記ブッシングに支持された支持部と、を有するコードと、
を備え、
前記コードは、前記接続部と前記支持部との間において外部に突出露出し、前記本体部を耳甲介に装着した状態で対耳輪下脚又は対耳輪に接触可能な接触部を備えることを特徴とするイヤホン。
【請求項２】
前記本体部は、前記本体部を前記耳甲介に装着した状態で前記対耳輪下脚を弾性的に付勢可能な腕部を有し、
前記接触部は、前記腕部の外縁に突出露出していることを特徴とする請求項１記載のイヤホン。
【請求項３】
前記本体部は、前記本体部を前記耳甲介に装着した状態で前記対耳輪下脚を弾性的に付勢可能な腕部を有し、
前記接触部は、前記腕部からループ状に突出露出していることを特徴とする請求項１記載のイヤホン。
【発明の詳細な説明】
【技術分野】
【０００１】
本発明は、イヤホンに係り、特に、タッチノイズを良好に低減するイヤホンに関する。
【背景技術】
【０００２】
イヤホンのタイプとして、インナーイヤー型及びカナル型（耳栓型とも称される）が知られている。
インナーイヤー型は、スピーカユニットを収容した本体部を耳介の耳甲介に装着し、本体部から外耳道に向け音を出力して使用するものである。
カナル型は、本体部から突出してイヤーピースが装着された音筒部を外耳道内に挿入装着し、外耳道の内部へ音筒部から音を出力して使用するものである。
ここでは、インナーイヤー型とカナル型とを含め、インイヤー型と称する。
【０００３】
ところで、インイヤー型イヤホンでは、本体部から延出したコードが衣類などに接触すると、接触で生じた振動が耳甲介や外耳道の内壁に伝達され、タッチノイズなどと称される雑音として聴取される場合がある。
【０００４】
そのため、タッチノイズを低減する様々な工夫が検討されている。
例えば、特許文献１には、耳介に装着したイヤホン本体部から延出したコードを、耳垂に接触させる構造のインイヤー型イヤホンが記載されている。
耳垂は、耳介において十分に軟らかい部位である。そのため、コードを耳垂に接触させることで、タッチノイズの原因となる振動は、その振動エネルギが耳甲介や外耳道に到達する前に耳垂に吸収されて減衰する。これにより、タッチノイズを低減することができる。
【先行技術文献】
【特許文献】
【０００５】
【特許文献１】特開２０１４−１６８１１５号公報
【発明の概要】
【発明が解決しようとする課題】
【０００６】
ところで、外耳（耳介及び外耳道）の形状は、個人差が大きく、特許文献１に記載されたイヤホンを、音声を最良に聴取できる姿勢で耳介に装着した場合のコードと耳垂との接触具合も、耳の形状の影響を少なからず受ける。
従って、タッチノイズの低減度合が必ずしも安定せず、個人差の生じる場合があることが想定される。
そのため、特許文献１に記載された技術は、耳の形状の影響をできるだけ受けずに、より安定的にタッチノイズを低減できるようにする、という点で改善の余地がある。
【０００７】
そこで、本発明が解決しようとする課題は、タッチノイズをより安定的に低減できるイヤホンを提供することにある。
【課題を解決するための手段】
【０００８】
上記の課題を解決するために、本発明は次の構成を有する。
１）  本体部と、
前記本体部から延出したブッシングと、
前記本体部に収められたスピーカユニットと、
前記本体部内で前記スピーカユニットに接続された接続部と、前記ブッシングに支持された支持部と、を有するコードと、
を備え、
前記コードは、前記接続部と前記支持部との間において外部に突出露出し、前記本体部を耳甲介に装着した状態で対耳輪下脚又は対耳輪に接触可能な接触部を備えることを特徴とするイヤホンである。
【発明の効果】
【０００９】
本発明によれば、タッチノイズをより安定的に低減できる。
【図面の簡単な説明】
【００１０】
【図１】図１は、本発明の実施の形態に係るイヤホンの実施例であるイヤホン５１を左方から見た平面図である。
【図２】図２は、イヤホン５１を後方から見た側面図である。
【図３】図３は、イヤホン５１の耳介Ｅへの装着状態を説明するための左方から見た平面図である。
【図４】図４は、イヤホン５１のコード６を説明するための断面図である。
【図５】図５は、イヤホン５１における腕部３及びコード６の露出部Ｒａを説明するための断面図である。
【図６】図６は、図３におけるＳ６−Ｓ６位置での断面図である。
【図７】図７は、変形例１のイヤホン５１Ａを左方から見た平面図である。
【図８】図８は、イヤホン５１Ａを後方から見た側面図である。
【図９】図９は、イヤホン５１Ａの耳介Ｅへの装着状態を説明するための左方から見た平面図である。
【図１０】図１０は、イヤホン５１Ａにおける腕部３及びコード６の露出部ＲａＡを説明するための断面図である。
【図１１】図１１は、変形例２のイヤホン５１Ｂを左方から見た平面図である。
【図１２】図１２は、イヤホン５１Ｂを後方から見た側面図である。
【図１３】図１３は、イヤホン５１Ｂの耳介Ｅへの装着状態を説明するための左方から見た平面図である。
【図１４】図１４は、実施例２のイヤホン５２を前方から見た側面図である。
【図１５】図１５は、イヤホン５２を左方から見た平面図である。
【図１６】図１６は、イヤホン５２の耳介Ｅへの装着状態を説明するための左方から見た平面図である。
【発明を実施するための形態】
【００１１】
（実施例１）
本発明の実施の形態に係るイヤホンの実施例１であるイヤホン５１を、構成について図１及び図２を参照し、耳への装着状態について図３を参照して説明する。
【００１２】
イヤホン５１は、カナル型のインイヤー型であって左耳用である。
図１及び図２には、便宜的に、イヤホン５１を左耳に装着した状態での頭部の前後上下左右方向が矢印で示されている。
図１は、左方から見た平面図である。図２は、後方から見た側面図である。図３は、イヤホン５１を左耳の耳介Ｅに装着した使用状態を説明するための左方から見た図である。
【００１３】
イヤホン５１は、本体部１と、本体部１から突出する腕部３及びコード導入部であるブッシング５と、ブッシング５に支持部６ｆにおいて支持され先端から外部に延び出るコード６と、を有する。
【００１４】
本体部１は、概ね、左右方向に延びる軸線ＣＬ１方向につぶれた偏平な樽形状に形成されており、内部にスピーカユニットＳＰを収容している。
本体部１は、径方向で後下方に張り出した張出部１ａと、軸線ＣＬ１に対し交差して前上方向に延びる軸線ＣＬ２を中心軸として突出する音筒部１ｂと、を有する。
【００１５】
音筒部１ｂには、シリコーンゴム製のイヤーピース２が着脱自在に取り付けられている。
本体部１は、例えば、ＡＢＳ樹脂などの樹脂で形成されている。
【００１６】
腕部３は、本体部１から径方向の後上方に延出し、先端側が本体部１から離れるに従って徐々に前上右方に向かうよう弓状に湾曲した形状で形成されている。
腕部３は、エラストマやシリコーンゴムなどの軟らかい材料で形成され、図１に示される矢印Ｄａ方向に極めて容易に弾性変形可能とされている。
【００１７】
ブッシング５は、本体部１に対し、その左面側に、本体部１よりも小径の接続部４を介して連結されている。
ブッシング５は、概ね上下前後方向に延在する平面に沿って形成されている。詳しくは、ブッシング５は、本体部１から径方向の前下方に延出し、先端側が本体部１から離れるに従って下方を向く弓状に形成されている。
接続部４及びブッシング５は、本体部１よりも軟らかく、腕部３に対しては同等又は硬い材料（例えばハードエラストマ又は樹脂）で形成されている。
【００１８】
ブッシング５の先端からは、コード６が外部に延び出ている。コード６の延び出た先端部には、プラグ６ｐが取り付けられている。プラグ６ｐは音声再生装置（図示せず）などに接続される。
【００１９】
コード６は、断面図である図４に示されるように、音声信号のホット及びアースにそれぞれ対応した二本のリード線６ｃと、二本のリード線６ｃを覆うシース６ｄと、を有する。
各リード線６ｃは、金属導線６ａと金属導線６ａを覆う被覆部６ｂとからなる。
ブッシング５の内部では、シース６ｄはブッシング５と接触した状態となっている。
【００２０】
コード６のブッシング５に引き込まれた側の端部は、後述するコード引き回し経路ＲＴを経て、接続部２６ｅにおいてスピーカユニットＳＰに電気的及び機械的に接続されている。
これにより、プラグ６ｐが接続された音声再生装置から出力された音声信号は、コード６を通りスピーカユニットＳＰに供給される。
スピーカユニットＳＰは、供給された音声信号に基づく音を出力する。出力された音は、音筒部１ｂから外耳道Ｅｂ内に放出される。
【００２１】
次に、イヤホン５１におけるコード引き回し経路ＲＴについて説明する。
コード引き回し経路ＲＴは、コード６におけるブッシング５からスピーカユニットＳＰまでの間の経路を意味する。
【００２２】
イヤホン５１は、コード６が、コード引き回し経路ＲＴにおける少なくとも一ヶ所で外部に露出するようになっている。
具体的には、図１〜図３に示されるように、外部からブッシング５の内部に引き込まれたコード６は、ブッシング５から接続部４の内部を通って本体部１の内部に入り、本体部１の後方側の位置Ｐ１から、外部に引き出されている。
【００２３】
硬質樹脂で形成された本体部１を途中に含む、接続部４と位置Ｐ１との間の経路において、コード６は、強固に保持されず移動しろ（移動可能な隙間）を有してルーズに引き回される。
【００２４】
位置Ｐ１から外部に引き出されたコード６は、コード６の断面形状の概ね半分が外部に露出するように、位置Ｐ１から腕部３に沿い、腕部３の先端に向かって引き出されている。
位置Ｐ１は、腕部３の後方側縁部が本体部１に接続する根本位置である。
【００２５】
腕部３は、この例において、根本の位置Ｐ１から先端の位置Ｐ２まで、コード６の一部（この例において断面形状の概ね半分）が収められる溝部３ａを有する。
コード６は、この溝部３ａに収められ、断面形状で概ね半分が腕部３から突出して露出した状態になっている。
【００２６】
図５（ａ）は、図１におけるＳ４−Ｓ４位置での断面図であって、溝部３ａと溝部３ａに収められた状態のコード６とを示している。
また、図５（ｂ）は、図５（ａ）からコード６を除いた腕部３のみの断面図である。
【００２７】
コード６は、腕部３における、本体部１から遠い側の後上方の外縁部３ｄにおいて、腕部３の根本の位置Ｐ１から先端の位置Ｐ２まで溝部３ａに収められ、露出部Ｒａの一部として外部に露出している。
コード６は、腕部３の先端の位置Ｐ２で腕部３から離れ、本体部１の上部の位置Ｐ３から本体部１の内部に引き込まれている。
【００２８】
位置Ｐ３から本体部１内に引き込まれたコード６は、抜け防止のための結び玉（図示せず）が形成され、端部の接続部６ｅにおいてスピーカユニットＳＰに対し電気的及び機械的に接続されている。
【００２９】
腕部３における根本の位置Ｐ１から先端の位置Ｐ２までの間、コード６は、溝部３ａに対し、互いの弾性変形を伴う強嵌合で嵌め込まれるか、接着剤又は両面テープで固定されるなどの方法によって腕部３と一体化される。
【００３０】
コード６における位置Ｐ１と位置Ｐ３との間の部分は、外部に露出した露出部Ｒａとされている。
また、露出部Ｒａの内、位置Ｐ１と位置Ｐ２との間の部分を、接触部Ｔａと称する。接触部Ｔａは、腕部３に支持されて後上方に突出する部分である。詳しくは、接触部Ｔａは、イヤホン５１を耳介Ｅに装着した状態で、対耳輪下脚Ｅｄ或いは対耳輪Ｅｈ（図３参照）に接触させることができる部分である。
【００３１】
上述の構成を有するイヤホン５１を、左耳の耳介Ｅに装着した状態について図３を主に参照して説明する。
イヤホン５１は、イヤーピース２を装着した音筒部１ｂを外耳道Ｅｂ内に挿入し、ブッシング５を、耳珠Ｅｆと対耳珠Ｅｃとの間の珠間切痕Ｅｇに入り込む位置として、本体部１を耳甲介Ｅａに装着する。
本体部１の前方部分は、耳珠Ｅｆと耳甲介Ｅａとの間に、また、後方の張出部１ａは、対耳珠Ｅｃと耳甲介Ｅａとの間に嵌り込むように収められる。
【００３２】
この状態で、コード６の接触部Ｔａが突出した腕部３は、少なくとも先端側が自然状態で対耳輪下脚Ｅｄよりも上方に位置するように大きく形成されている。そのため、先端側を下方に弾性変形させて対耳輪下脚Ｅｄの下方内面Ｅｄ１に付勢当接させることができる。
すなわち、腕部３を弾性変形させて下方内面Ｅｄ１に当接させると、腕部３及びコード６の接触部Ｔａは、弾性反発力によって対耳輪下脚Ｅｄの下方内面Ｅｄ１を上方に付勢する。
【００３３】
対耳輪下脚Ｅｄは、耳介Ｅにおいてある程度柔らかい部位であるから、接触部Ｔａの付勢に対し弾性的に反発する。
従って、本体部１は、腕部３による対耳輪下脚Ｅｄへの付勢の反力と、対耳輪下脚Ｅｄの弾性反発力と、によって、耳甲介Ｅａに収められた状態で下方に付勢される。これにより、本体部１は、耳介Ｅ内において、極めて安定した状態で装着される。
【００３４】
この装着状態で、コード６の接触部Ｔａの少なくとも一部は、対耳輪下脚Ｅｄの下方内面Ｅｄ１に押し付けられる。
従って、コード６のブッシング５から外部に延び出た部分で生じた振動は、本体部１に向かってコード６を伝播する過程で、本体部１に達する前にその振動エネルギが対耳輪下脚Ｅｄに良好に吸収されて減衰し、本体部１にはほとんど伝わらない。
【００３５】
このコード６を伝播する振動について詳述する。
コード６のブッシング５から外部に延び出た部分が服などに接触して振動が生じると、その振動は、コード６を伝播しブッシング５に達する。
イヤホン５１では、ブッシング５及び接続部４において、コード６のシース６ｄが比較的軟らかい材質のブッシング５及び接続部４と接触しているので、コード６を伝わる振動の内の、特にシース６ｄを伝播する振動は、その振動エネルギの一部がブッシング５及び接続部４に吸収されて減衰する。
【００３６】
一方、コード６のリード線６ｃは、ブッシング５及び接続部４と直接には接触せず、径方向に圧縮もされないので、リード線６ｃを伝播する振動は減衰しにくい。
従って、コード６を伝播する振動は、ブッシング５及び接続部４においてある程度減衰したのち、主にリード線６ｃを伝播する振動として露出部Ｒａに達する。
【００３７】
位置Ｐ１と位置Ｐ２との間において、コード６は、そのシース６ｄがブッシング５と同等又はそれよりも軟らかい腕部３に接触している。
そのため、シース６ｄを伝播する振動が残っていたとしても、その振動は、振動エネルギが腕部３に吸収されてさらに減衰する。
一方、リード線６ｃを伝播する振動は、イヤホン５１を耳介Ｅに装着した状態において、露出部Ｒａの一部である接触部Ｔａが対耳輪下脚Ｅｄ或いは対耳輪Ｅｈを当接付勢することで振動エネルギが対耳輪下脚Ｅｄに吸収されるので、減衰する。
【００３８】
より詳しく図６を参照して説明する。図６は、図３におけるＳ６−Ｓ６位置での断面図である。
図６に示されるように、コード６が対耳輪下脚Ｅｄに押し付けられることで、リード線６ｃの金属導線６ａは、被覆部６ｂ及びシース６ｄを介して対耳輪下脚Ｅｄに押し付けられる。
すなわち、コード６の内部において、付勢方向に隙間がない状態で押し付けられる。
【００３９】
従って、コード６のリード線６ｃを伝わってきた振動は、その振動エネルギが確実に対耳輪下脚Ｅｄ（又は対耳輪Ｅｈ）に吸収されるので、減衰する。
そのため、イヤホン５１を耳介Ｅに装着した状態で、コード６の、ブッシング５から下方に延び出た部分が服などに接触して振動が発生しても、その振動は本体部１に達する前に十分減衰し、本体部１にはほとんど到達しない。
これにより、イヤホン５１は、タッチノイズを低減させることができる。
【００４０】
また、腕部３は、大きな弾性変形が可能であって、形状及び大きさの異なる様々な耳介においても、コード６の接触部Ｔａを対耳輪下脚Ｅｄ又は対耳輪Ｅｈに弾性的に当接付勢させる。そのため、確実にタッチノイズの原因となる振動を、その振動エネルギを対耳輪下脚Ｅｄ又は対耳輪Ｅｈに吸収させて減衰できる。
これにより、イヤホン５１は、耳介Ｅの形状及び大きさの個人差によらずタッチノイズを安定的に低減できる。
【００４１】
以上詳述したイヤホン５１は、以下に説明する変形例１Ａ及び変形例１Ｂのイヤホン５１Ａ及びイヤホン５１Ｂに変形してもよい。
【００４２】
（変形例１Ａ）
イヤホン５１Ａは、イヤホン５１におけるコード６のコード引き回し経路ＲＴを変形したコード引き回し経路ＲＴＡを有する。
詳しくは、図７及び図８に示されるように、イヤホン５１Ａは、イヤホン５１において腕部３の根本の位置Ｐ１と先端の位置Ｐ２との間で露出させていたコード６を、腕部３の中間位置Ｐ１Ａと、中間位置Ｐ１Ａよりも先端側に位置する中間位置Ｐ２Ａとの間で露出させた露出部ＲａＡを有する。
【００４３】
中間位置Ｐ１Ａ及び中間位置Ｐ２Ａは、腕部３における、本体部１から遠い後上方の外縁部３ｄに位置している。
中間位置Ｐ１Ａは、例えば、腕部３の根本から先端までの概ね中央位置に設定され、露出部ＲａＡは、腕部３の先端側に設けられる。
そのため、露出部ＲａＡは、その全体がイヤホン５１Ａを耳介Ｅに装着した状態で対耳輪下脚Ｅｄに接触させることができる接触部ＴａＡとして機能する。
このように、接触部ＴａＡは腕部３に支持され露出した部分となっている。
【００４４】
コード６と腕部３との接触関係は、図７のＳ１０−Ｓ１０位置での断面図である図１０に示される。
この例では、図１０（ａ）に示されるように、腕部３の後上方の端部には、溝部ではなく平坦な平坦縁部３ｂが形成されている。コード６は、この平坦縁部３ｂに接触して腕部３に沿うように配置されている。
【００４５】
腕部３の後上方の端部は、平坦縁部３ｂではなく、図１０（ｂ）に示されるように、左右方向の中間部が凹んだ湾曲面を有する凹部３ｃとされていてもよい。もちろん、イヤホン５１のように溝部３ａが形成されていてもよい。
【００４６】
イヤホン５１Ａにおけるコード６のコード引き回し経路ＲＴＡについて、図７及び図８を参照してより具体的に説明する。
【００４７】
プラグ６ｐ側からブッシング５内に引き込まれたコード６は、接続部４，本体部１，及び腕部３の根本側の内部を通り、中間位置Ｐ１Ａにおいて、腕部３の外縁部３ｄから後上方側に突出するよう外部に引き出される。
そして、中間位置Ｐ１Ａから先端側の中間位置Ｐ２Ａまで、腕部３の外縁部３ｄの表面に沿って延び、中間位置Ｐ２Ａで再び腕部３の内部に通される。
【００４８】
腕部３の内部に入ったコード６は、中間位置Ｐ２Ａの概ね反対側となる内側の中間位置Ｐ４Ａから再び外部に引き出される。そして、コード６は、本体部１の位置Ｐ３から内部に引き込まれ、結び玉（図示せず）が形成され、端部の接続部６ｅにおいてスピーカユニットＳＰに対し電気的及び機械的に接続される。
【００４９】
図９は、イヤホン５１Ａを耳介Ｅに装着した状態を示す後面図である。
図９に示されるように、本体部１及びブッシング５は、イヤホン５１と同様に装着され、腕部３が露出部ＲａＡとして突出したコード６と共に、対耳輪下脚Ｅｄの内面に当接、かつ腕部３の弾性変形により上方に付勢する。
イヤホン５１Ａにおいて、露出部ＲａＡは腕部３の先端に近い部分に設けられているので、ほぼ露出部ＲａＡの全体が対耳輪下脚Ｅｄの下方内面Ｅｄ１に当接付勢する接触部ＴａＡとして機能する。
【００５０】
これにより、イヤホン５１Ａは、イヤホン５１と同様に、コード６の、ブッシング５から延び出た部分からリード線６ｃ（特に金属導線６ａ）を伝わってきた振動を、その振動エネルギを接触部ＴａＡの対耳輪下脚Ｅｄへの当接付勢によって確実に対耳輪下脚Ｅｄに吸収させて減衰できる。
【００５１】
これにより、イヤホン５１Ａを耳介Ｅに装着した状態で、コード６の、ブッシング５から下方に延び出た部分が服などに接触して振動が発生しても、その振動は、本体部１に到達する前に十分に減衰して本体部１にほとんど到達せず、タッチノイズを低減できる。
【００５２】
（変形例１Ｂ）
イヤホン５１Ｂも、イヤホン５１におけるコード６のコード引き回し経路ＲＴを変形したコード引き回し経路ＲＴＢを有する。
詳しくは、図１１及び図１２に示されるように、イヤホン５１Ｂは、イヤホン５１において腕部３の根本の位置Ｐ１と先端の位置Ｐ２との間で露出させていたコード６を、腕部３の、例えば先端部からループ状に突出露出させた露出部ＲａＢを有する。露出部ＲａＢは、コード６を前後上下方向に延在するループ状にして、腕部３から前上方に突出させた部分である。
【００５３】
ループの大きさは限定されない。ループの形状は、上下方向において腕部３よりも上方に位置する部分ができるように形成されることが望ましい。また、露出部ＲａＢを設ける位置は、先端部に限定されず、腕部３の外縁部３ｄの任意の位置でよい。
【００５４】
コード引き回し経路ＲＴＢについて説明する。
図１１に示されるように、プラグ６ｐ側からブッシング５に引き込まれたコード６は、本体部１の内部から腕部３の内部を通り、この例では腕部３の先端に位置する位置Ｐ１Ｂから外部に引き出される。
外部に引き出されたコード６は、上述のように露出部ＲａＢとしてループ状に形成され、位置Ｐ１Ｂに対して本体部１に近い側に隣接する位置Ｐ２Ｂから再び腕部３の内部に通される。
【００５５】
そして、コード６は、腕部３における位置Ｐ２Ｂの概ね反対側となる内側の位置Ｐ４Ｂから再び外部に引き出され、本体部１の上部の位置Ｐ３から内部に引き込まれる。
本体部１の内部では、結び玉（図示せず）が形成されて、端部の接続部６ｅにおいてスピーカユニットＳＰに対し電気的及び機械的に接続される。
【００５６】
コード引き回し経路ＲＴＢにおいて、コード６同士は接触しないようになっている。
特にループ状の露出部ＲａＢでは、根本部分が接近するが、腕部３の部材を間に介在させて互いに離隔して接触しないように引き回される。
【００５７】
これは、露出部ＲａＢの根本部分でコード６同士が接触すると、コード６をブッシング５側から伝わってきた振動がループ状の部分に伝わらず、大部分が接触した部分から本体部１へ引き込まれる部分に伝わって、タッチノイズとして聴取されてしまうことによる。
【００５８】
図１３は、イヤホン５１Ｂを耳介Ｅに装着した状態を示す後面図である。
図１３に示されるように、本体部１及びブッシング５は、イヤホン５１と同様に装着され、腕部３は、図１の矢印Ｄａ方向に弾性変形させて装着する。
この装着で、腕部３及びコード６の露出部ＲａＢは、対耳輪下脚Ｅｄの下方内面Ｅｄ１或いは耳輪脚Ｅｊの内側壁面Ｅｊ１を当接付勢する。
すなわち、腕部３は弾性変形の反発力で、また露出部ＲａＢはループ形状が変形することでの変形抵抗力で、下方内面Ｅｄ１或いは内側壁面Ｅｊ１を上方に付勢する。
【００５９】
このように、イヤホン５１Ｂにおいて、露出部ＲａＢは、腕部３の先端から前上方に、或いは腕部３の中間部から上方又は後上方に突出して設けられている。従って、露出部ＲａＢは、対耳輪下脚Ｅｄの下方内面Ｅｄ１、或いは耳輪脚Ｅｊの内側壁面Ｅｊ１に当接付勢する接触部ＴａＢとして機能する。また、この例においても、接触部ＴａＢは腕部３に支持されている。
【００６０】
上述のように、接触部ＴａＢとなる露出部ＲａＢは、腕部３により、その先端から突出露出するよう支持されるに限定されない。例えば、腕部により、その中間部分から径方向外方に突出露出するよう支持されるものでもよい。
【００６１】
これにより、イヤホン５１Ｂは、イヤホン５１と同様に、コード６の、ブッシング５から延び出た部分からリード線６ｃ（特に金属導線６ａ）を伝わってきた振動を、その振動エネルギを接触部ＴａＢの対耳輪下脚Ｅｄ或いは耳輪脚Ｅｊへの当接付勢によって確実に対耳輪下脚Ｅｄに吸収させて減衰できる。
【００６２】
これにより、イヤホン５１Ｂを耳介Ｅに装着した状態で、コード６の、ブッシング５から下方に延び出た部分が服などに接触して振動が発生しても、その振動は十分に吸収されて本体部１にほとんど到達せず、タッチノイズを低減させることができる。
【００６３】
以上詳述した実施例１のイヤホン５１及びその変形例１，２のイヤホン５１Ａ，５１Ｂは、コード６における、スピーカユニットＳＰに接続する接続部６ｅとブッシング５に支持された支持部６ｆとの間の部分に、耳介Ｅへの装着状態で対耳輪下脚Ｅｄなどの耳介Ｅに当接させるための接触部Ｔａ，ＴａＡ，ＴａＢが設けられている。
また、接触部Ｔａ，ＴａＡ，ＴａＢよりもプラグ６ｐ側で本体部１内を通る部分において、本体部１に対しては動きしろを有してルーズに引き回されている。
これにより、コード６のプラグ６ｐ側から本体部１に向かって伝播してきた振動は、その振動エネルギが接触部Ｔａ，ＴａＡ，ＴａＢの耳介Ｅへの当接付勢によって耳介Ｅに吸収されるため十分に減衰し、タッチノイズとして聴取される虞がほとんどない。
【００６４】
すなわち、イヤホン５１，５１Ａ，５１Ｂは、耳介Ｅの形状によらず、より安定的にタッチノイズを低減させることができる。
【００６５】
（実施例２）
次に、本発明の実施の形態に係るイヤホンの実施例２であるイヤホン５２を、構成について図１４及び図１５を参照し、耳への装着状態について図１６を参照して説明する。
【００６６】
イヤホン５２はカナル型のインイヤー型であって左耳用である。
図１４及び図１５には、便宜的に、イヤホン５２を左耳に装着した状態での頭部の前後上下左右方向が矢印で示されている。
図１４は、前方から見た側面図である。図１５は、左方から見た平面図である。
図１６は、イヤホン５２を左耳の耳介Ｅに装着した使用状態を説明するための後方から見た図である。
【００６７】
イヤホン５２は、本体部２１と、本体部２１からコード導入部として突出するブッシング２５と、ブッシング２５に支持部２６ｆにおいて支持され先端から外部に延び出るコード２６と、を有する。
【００６８】
本体部２１は、左右方向の延びる軸線ＣＬ２１を軸として左方がすぼんだ偏平の砲弾形状に形成され、内部にスピーカユニットＳＰを収容している。
本体部２１は、右方に突出する音筒部２１ｂを有する。音筒部２１ｂには、ゴム製のイヤーピース２２が着脱自在に取り付けられている。
本体部２１は、例えばＡＢＳ樹脂などの樹脂で形成されている。
【００６９】
ブッシング２５の先端からは、コード２６が外部に延び出ている。コード２６の延び出た先端部には、プラグ２６ｐが取り付けられている。プラグ２６ｐは音声再生装置（図示せず）などに接続される。コード２６の構成及び断面形状は、コード６と同じである。
【００７０】
コード２６のブッシング２５に引き込まれた側の端部は、コード引き回し経路ＲＴ２を経て、一端の接続部２６ｅにおいてスピーカユニットＳＰに電気的及び機械的に接続されている。
ブッシング２５は、本体部２１から下方に延出しハードエラストマ又は樹脂によって形成されている。
【００７１】
このようにコード２６は、スピーカユニットＳＰに電気的及び機械的に接続された接続部６ｅ及びブッシング２５に支持された支持部２６ｆと、を有する。
【００７２】
次に、図１４及び図１５を参照してイヤホン５２におけるコード２６のコード引き回し経路ＲＴ２について説明する。
コード引き回し経路ＲＴ２において、コード２６は、外部からブッシング２５の内部に引き込まれたあと、スピーカユニットＳＰに接続されるまでの間に、軸線ＣＬ２１を概ね中心として本体部２１の外形よりも径方向外側で弧状を呈する露出部Ｒａ２を有する
【００７３】
具体的には、ブッシング２５における先端の位置Ｐ２１からブッシング２５の内部に引き込まれたコード２６は、ブッシング２５における根本の後方側の位置Ｐ２２から再び外部に引き出されている。
位置Ｐ２２から引き出されたコード２６は、本体部２１に対し径方向外側に離隔した位置で、本体部２１の後下方から後方、後上方、上方を通り、前上方に至る弧状の露出部Ｒａ２を形成している。
この露出部Ｒａ２は、概ね前後上下方向に延びる平面に沿って延在している。
露出部Ｒａ２の形状を安定維持させると共に、本体部２１とプラグ２６ｐとの間の取り回しを容易にするため、コード２６は、露出部Ｒａ２を形成する部分の剛性と、ブッシング２５から引き出された部分の剛性と、を異なるものにしてもよい。
【００７４】
すなわち、露出部Ｒａ２となる部分に用いられるコード２６ａを、ブッシング２５から引き出された部分に用いられるコード２６ｂよりも高剛性のものにするとよい。そのためには、コード２６ａとコード２６ｂとをブッシング内においてフレキシブル基板によって電気的に接続する構造にするとよい。
【００７５】
本体部２１の前上方に達した露出部Ｒａ２のコード２６は、本体部２１の前上方の位置Ｐ２３から本体部２１の内部に引き込まれ、結び玉（図示せず）を形成して端部の接続部２６ｅにおいてスピーカユニットＳＰに対し電気的及び機械的に接続されている。
【００７６】
上述の構成を有するイヤホン５２を、左耳の耳介Ｅに装着した状態について、図１６を主に参照して説明する。
イヤホン５２は、イヤーピース２２を装着した音筒部２１ｂを外耳道Ｅｂ内に挿入し、ブッシング２５を、耳珠Ｅｆと対耳珠Ｅｃとの間の珠間切痕Ｅｇに入り込む位置として装着する。
本体部２１は耳甲介に装着される。詳しくは、本体部２１の前方部分は、耳珠Ｅｆと耳甲介Ｅａとの間に、また、後方部分は対耳珠Ｅｃと耳甲介Ｅａとの間に嵌りこむように収められる。
【００７７】
コード２６の露出部Ｒａ２は、耳甲介Ｅａの領域よりも十分大きく弧状に形成しておく。そのため、イヤホン５２の装着は、露出部Ｒａ２を縮径させる方向に潰し耳甲介Ｅａに収めるようにして行う。
これにより、本体部２１が耳甲介Ｅａに収まった状態で、露出部Ｒａ２の一部は、対耳輪下脚Ｅｄの下方内面Ｅｄ１或いは対耳輪Ｅｈに部分的に当接し、変形の反発力でそれらを外方に付勢する。
【００７８】
露出部Ｒａ２において対耳輪下脚Ｅｄ或いは対耳輪Ｅｈを当接付勢する部分を接触部Ｔａ２とする。
図１６には、接触部Ｔａ２は、対耳輪下脚Ｅｄの当接部位Ｐｔに当接して潰れ変形し、その反力で当接部位Ｐｔを付勢している状態が示されている。
【００７９】
これにより、実施例２のイヤホン５２は、コード２６の、ブッシング２５から延び出た部分からリード線２６ｃを伝わってきた振動を、その振動エネルギを対耳輪下脚Ｅｄ又は対耳輪Ｅｈに確実に吸収させることで減衰できる。
そのため、コード２６の、ブッシング２５から下方に延び出た部分が服などに接触して振動が発生しても、その振動は本体部２１に達する前に十分減衰し本体部２１にはほとんど到達しない。
これにより、イヤホン５２は、タッチノイズを低減させることができる。
【００８０】
以上説明したように、実施例２のイヤホン５２は、コード２６における、スピーカユニットＳＰに接続された接続部２６とブッシング２５に支持された支持部２６ｆとの間の部分に、耳介Ｅへの装着状態で対耳輪下脚Ｅｄ或いは対耳輪Ｅｈなどの耳介Ｅに当接する接触部Ｔａ２が設けられている。
これにより、コード２６のプラグ２６ｐ側から本体部２１に向かって伝播してきた振動は、その振動エネルギが接触部Ｔａ２の耳介Ｅへの当接付勢によって耳介Ｅに吸収されるため十分に減衰し、タッチノイズとして聴取される虞がほとんどない。
【００８１】
すなわち、イヤホン５２は、耳介Ｅの形状によらず、より安定的にタッチノイズを低減させることができる。
【００８２】
以上詳述した実施例及び変形例は、上述の構成に限定されるものではなく、本発明の要旨を逸脱しない範囲においてさらに別の変形例としてもよい。
【００８３】
実施例１及び実施例２のイヤホン５１及びイヤホン５２や、実施例１の変形例であるイヤホン５１Ａ，５１Ｂは、前後反転形状にすることで右耳用にしてもよい。また、それぞれ左耳用と右耳用とを備えたステレオイヤホンとしてもよい。
【００８４】
実施例１及び実施例２をカナル型イヤホンとして説明したが、インナーイヤー型であってもよい。
実施例１及び実施例２やその変形例は、可能な範囲で適宜組み合わせることができる。
【符号の説明】
【００８５】
１，２１  本体部
１ａ  張出部、    １ｂ，２１ｂ  音筒部
２，２２  イヤーピース
３  腕部
３ａ  溝部、    ３ｂ  平坦縁部、    ３ｃ  凹部、    ３ｄ  外縁部
４  接続部
５，２５  ブッシング（コード導入部）
６，２６，２６ａ，２６ｂ  コード
６ａ  金属導線、    ６ｂ  被覆部、    ６ｃ  リード線、    ６ｄ  シース
６ｅ，２６ｅ  接続部、    ６ｆ，２６ｆ  支持部
６ｐ，２６ｐ  プラグ
５１，５１Ａ，５１Ｂ，５２  イヤホン
ＣＬ１，ＣＬ２１  軸線
Ｅ  耳介
Ｅａ  耳甲介、    Ｅｂ  外耳道、    Ｅｃ  対耳珠、    Ｅｄ  対耳輪下脚
Ｅｄ１  下方内面、    Ｅｆ  耳珠、    Ｅｇ  珠間切痕、    Ｅｈ  対耳輪
Ｅｊ  耳輪脚、    Ｅｊ１  内側壁面
Ｐ１〜Ｐ３，Ｐ１Ａ，Ｐ２Ａ，Ｐ４Ａ，Ｐ１Ｂ，Ｐ２Ｂ，Ｐ４Ｂ，Ｐ２１，Ｐ２２  位置
Ｐｔ  当接部位
ＲＴ，ＲＴＡ，ＲＴ２  コード引き回し経路
Ｒａ，ＲａＡ，ＲａＢ，Ｒａ２  露出部
ＳＰ  スピーカユニット
Ｔａ，ＴａＡ，ＴａＢ，Ｔａ２  接触部
【図１】
2017098877.tif 000003
【図２】
2017098877.tif 000004
【図３】
2017098877.tif 000005
【図４】
2017098877.tif 000006
【図５】
2017098877.tif 000007
【図６】
2017098877.tif 000008
【図７】
2017098877.tif 000009
【図８】
2017098877.tif 000010
【図９】
2017098877.tif 000011
【図１０】
2017098877.tif 000012
【図１１】
2017098877.tif 000013
【図１２】
2017098877.tif 000014
【図１３】
2017098877.tif 000015
【図１４】
2017098877.tif 000016
【図１５】
2017098877.tif 000017
【図１６】
2017098877.tif 000018